(57)【要約】      （修正有）【課題】両足が左右に移動しながら、ジャンプできる、トランポリンの改良構造を提供する。【解決手段】２セット以上の接続パイプ７が平行に配置され、内側パッド９が接続パイプの端に配置され、また、２セットのトランポリン支持面６がそれぞれ接続パイプの両端の外側で配置され、トランポリン支持面の内側はそれぞれ接続パイプに接続され、トランポリン支持面の外側には支持用のスタンド機構２が設けられ、支持用のスタンド機構の下端には外側用のフットパッド３が設けられている。【選択図】図１
0003226083.tif 000002
【実用新案登録請求の範囲】
【請求項１】
２セット以上の接続パイプが平行に配置され、内側パッドが接続パイプの端に配置され、また、２セットのトランポリン支持面がそれぞれ接続パイプの両端の外側で配置され、トランポリン支持面の内側はそれぞれ接続パイプに接続され、トランポリン支持面の外側には支持用のスタンド機構が設けられ、支持用のスタンド機構の下端には外側用のフットパッドが設けられていることを特徴とするトランポリンの改良構造。
【請求項２】
前記トランポリン支持面は、水平または内側に向かって斜めに配置されていることを特徴とする請求項１に記載のトランポリンの改良構造。
【請求項３】
前記トランポリンの支持面は、接続部品で前記の接続パイプに接続される。前記の接続部品とは、接続パイプの外側で設置されたスライドできるチューブ形態の構造である。接続部品は、プラスチック製ねじによって接続パイプに接続され、接続部品の上部は、トランポリン支持面のフレームの内側に接続されていることを特徴とする請求項１に記載のトランポリンの改良構造。
【請求項４】
前記連結部品と前記トランポリン支持面のフレームはシャフトによって連結され、シャフトの軸方向は前記の接続パイプに対し垂直であることを特徴とする請求項３に記載のトランポリンの改良構造。
【請求項５】
前記接続パイプの外側に、軸方向に配列された複数の取付孔が設けられ、該取付孔は、前記プラスチック製ねじと螺合するために設置されるものであることを特徴とする請求項３に記載のトランポリンの改良構造。
【請求項６】
前記支持スタンド機構とは、前記トランポリン支持面に結合される一個以上の上部接続部分と前記外側用フットパッドを取り付けるための下部支持部からなっている。上部接続部はトランポリン支持面のフレームに接続され、下部支持部の底には外側用フットパッドが設けられていることを特徴とする請求項１に記載のトランポリンの改良構造。
【請求項７】
前記トランポリン支持面のフレームの下部に、前記支持スタンド機構に接続するための支持パネルが設けられ、前記支持パネルが前記上部接続部はシャフトによって接続される。シャフトの軸方向は接続パイプの軸方向に対し垂直である。支持パネルはプラスチック製のねじによって上部接続部の中間部分に接続し固定されていることを特徴とする請求項６に記載のトランポリンの改良構造。
【請求項８】
回転ハンドルが設けられている。ライザーの上端に回転ハンドルが設置され、ライザーの下端がそのうち一つの接続パイプに接続し固定されることを特徴とする請求項１に記載のトランポリンの改良構造。
【請求項９】
ライザーは上部パイプ部と下部パイプ部からなっている。上部パイプ部の底部と下部パイプ部の上部にはそれぞれ水平に設置された取り付けパネルが備えられ、パネルは張り合わせられた状態で設置され、取り付けパネルの内側の間では水平方向に分布されたピンで接続され、取り付けパネルの外側ではクイックリリースネジで固定され、尚、上部パイプ部の底部にある取り付けパネルにおいてクイックリリースネジを設置用のネジ穴が設けられており、ネジ穴外側が口を開いた形状にしていることを特徴とする請求項８に記載のトランポリンの改良構造。
【請求項１０】
前記下部パイプ部の底部に、前記接続パイプと平行に配置された組み立てパイプが設置され、前記組立パイプの底部は軸方向に分布された開放構造となっている、組み立てパイプカバーは、接続パイプの上部の外側にあり、ボルトで接続パイプに接続し固定されていることを特徴とする請求項９に記載のトランポリンの改良構造。
【考案の詳細な説明】
【技術分野】
【０００１】
本実用新案は、フィットネス機器の技術分野、特にトランポリンの改善構造に関するものである。
【背景技術】
【０００２】
現在、市販されている既存のトランポリンは上下のジャンプの動きが運動やトレーニングとなり、体のバランスを保つために補助ハンドルを付けるぐらいで、運動の効果と楽しさがなくなってきてる。
【考案の概要】
【考案が解決しようとする課題】
【０００３】
従来技術の欠陥を解決するために、本考案は、従来のトランポリンを通して運動やトレーニングする方法を変更するために、トランポリンの構造的改善を提供する。
【課題を解決するための手段】
【０００４】
本考案が技術的課題を解決するために、下記のような技術方案を実施した。
トランポリンの構造的改良の主な特徴としては：２セット以上の接続チューブが必要で、接続チューブが平行に配置され、接続チューブの端の内側にパッドが配置されること、また、２セットのトランポリン支持面が配置され、トランポリン支持面がそれぞれ接続側パイプの両端の外側に配置され、トランポリンの支持面の内側は、それぞれ接続チューブに接続され、トランポリンの支持面の外側には支持用のスタンド機構が設けられ、支持用のスタンド機構の下端には外側のフットパッドが設けられること。
【０００５】
前記トランポリン支持面は、水平または内側に向かって斜めに配置されています。
【０００６】
前記トランポリンの支持面は、連結部品で前記の接続パイプに接続される。前記の連結部品とは、接続チューブの外側で設置されたスライドできるチューブ形態の構造である。連結部品は、プラスチック製ねじによって接続チューブに接続され、連結部品の上部は、トランポリン支持面のフレームの内側に接続されます。
【０００７】
さらに、前記連結部品と前記トランポリン支持面のフレームはシャフトによって連結され、シャフトの軸方向は接続パイプの軸方向に対し垂直である。
【０００８】
前記接続パイプの外側に、軸方向に配列された複数の取付孔が設けられ、該取付孔は、前記プラスチック製ねじと螺合するために設置されるものである。
【０００９】
前記支持スタンド機構とは、前記トランポリン支持面に結合される一個以上の上部接続部分と前記外側フットパッドを取り付けるための下部支持部からなっている。上部接続部はトランポリン支持面のフレームに接続され、下部支持部の底には外側フットパッドが設けられています。
【００１０】
前記トランポリン支持面のフレームの下部に、前記支持スタンド機構に接続するための支持パネルが設けられ、前記支持パネルが前記上部接続部はシャフトによって接続される。支持パネルはプラスチック製のねじによって上部接続部の中間部分に接続し固定されている。
【００１１】
回転ハンドルが設けられている。ライザーの上端に回転ハンドルが設置され、ライザーの下端がどちらかの接続パイプに接続し固定される。
【００１２】
ライザーは上部パイプ部と下部パイプ部からなっている。上部パイプ部の底部と下部パイプ部の上部にはそれぞれ水平に設置された取り付けパネルが備えられ、パネルは張り合わせられた状態で設置され、取り付けパネルの内側の間では水平方向に分布されたピンで接続され、取り付けパネルの外側ではクイックリリースネジで固定され、尚、上部パイプ部の底部にある取り付けパネルにおいてクイックリリースネジを設置用のネジ穴が設けられており、ネジ穴外側が口を開いた形状にしています。
【００１３】
下部パイプ部の底部に、前記接続パイプと平行に配置された組み立てパイプが設置され、前記組立パイプの底部は軸方向に分布された開放構造となっている、組み立てパイプカバーは、接続パイプの上部の外側にあり、ボルトで接続パイプに接続し固定されている。
【考案の効果】
【００１４】
本考案の見込める効果は下記とおりである。
１．構造設計は合理的で、当トランポリンは、使用中において、両足が左右移動でジャンプできるように、２つのトランポリンサポート面を提供する。
２．身長の違う対象者に対し、接続部品にあるプラスチック製ねじを調整することで、全体の高さ調整ができる。また、トランポリンの支持面が接続パイプにおける位置を左右移動することで、身長の異なる対象層が気軽に利用し運動できる。
３．全体の構造には複数の高速に折り畳める構造があり、片付けや運搬時に便利である。
【図面の簡単な説明】
【００１５】
【図１】本考案の構造的な概略図である。
【図２】本考案の爆発性構造の概略図である。
【図３】本考案の上面概略図である。
【図４】本考案の使用状態における構造を示す概略図である。
【考案を実施するための形態】
【００１６】
本考案の実施方法は下記事例を通して、説明いたします。当ノウハウに詳しい関係者は当取扱説明書で記載される内容で本考案のほかのメリットや機能を簡単に理解できると思う。
【００１７】
図１〜図３の通り、本実用新案はトランポリンの構造的改良を提案する。全体は主に２組の接続パイプ７、２組のトランポリン支持面６、２組の支持スタンド機構２および１組のハンドル機構によって構成される。
【００１８】
２セットのトランポリン支持面６は、２組の連結パイプ7の両端にそれぞれ配置されることで、２組のトランポリン支持面6の内側は、連結パイプ7によってサポートし固定できる。
【００１９】
支持スタンド機構2は、２組のトランポリン支持面6の外側に配置し、サポートと位置決め機構となっている。
【００２０】
そして、接続パイプ7番にハンドル機構が設けられている。２組のトランポリン支持面6、ハンドル機構および支持スタンド機構2は何れも折り畳み構造を使用し、高速な折り畳み機能を果たせる。
【００２１】
それでは、各部品の詳細構造について説明します。
前記２組の連結パイプ７は平行に配置され、連結パイプ７の端部には足パッド９が設けられている。足パッド９は地面で支えられるように下向けの底面が設けられている。
【００２２】
内側足パッド９の内側には横方向で分布されたプラグが設けられている。 プラグを接続パイプ７の端部のソケットに挿入して固定されることで、内側フットパッド９が接続パイプ７の両端部を支持し固定できる。接続パイプ７が宙に浮く状態で設置されている。
【００２３】
前記２組のトランポリン支持面6は半円形状であり、それぞれ接続パイプ7の外側に配置され、２組のトランポリン支持面6の真っ直ぐな縁は内側にあり、トランポリン支持面6は内側に向かって30度の傾斜をするよう設置されている。
【００２４】
左右移動したり足を上げ下げしたりするとき、人間工学に満たせるようにしている。無論、個人の運動習慣に応じて、他の角度や水平で設置することも可能である。
【００２５】
前記トランポリン支持面6の内側は、接続部材8を介してそれぞれ接続パイプ7に接続されている。接続部品8は、接続パイプ7の外側に配置され、スライド可能に配置されたパイプ状のものである。接続部品8の内側穴の直径は、接続パイプ7の外側穴の直径より多少大きめに設置されている。
【００２６】
接続パイプ7に十分な移動可能スペースを与えることと両方のスライド効果を確保することは目的である。接続部品8の内側は弾性クリップ20を介して接続パイル7に接続され、弾性クリップ20の片端は接続パイプ7の直径に一致するパイプで、片端は外側に向けて少々開く２つの半円形状パネルとなっている。
【００２７】
２つの半円形パネルは、接続部品８の内径に合わせるために設けられ、接続部品８に差し込まれている。弾性クリップ20は接続パイプ7と接続部材8が安定してスライドできるための役割を果たしている。接続部品8は、第２のプラスチック製ねじ１０によって接続パイプ7に接続し固定される。
【００２８】
それと同時に、接続パイプ7の外側には軸方向に分布された複数の取り付け穴12がある。取り付け穴12は、第２のプラスチック製ネジ10とねじ込むために使用される。
【００２９】
接続パイプ7をスライドすると同時に、違う取り付け穴12と合わせて連結することで、２組のトランポリン支持面6の間の間隔を調整でき、身長の違う使用者が自分にとって一番いいトランポリンの左右距離に調整し、利用できる。
【００３０】
接続部品8の上部は前記のトランポリン支持面6のフレームの内側に接続され、トランポリン支持面6および接続パイプ7の全体的な効果は接続部品8によって実現される。
【００３１】
また、前記連結部品８とトランポリン支持面６のフレームは、第２シャフト１１によって接続されており、第２シャフト１１の軸方向は接続パイプ７の軸方向に対し垂直である。
【００３２】
フレームの内側には、第２のシャフト11を取り付けるためのブッシュが溶接され、第２のシャフト11の端部を取り付けるためのＵ字型の固定用ホルダーが接続部品8に溶接されている。
【００３３】
ブッシュがＵ字型の固定用ホルダーの内側に配置され、これを通じて、トランポリン支持面６全体を第２のシャフト１１によって内側に翻され、トランポリン支持面６を折り畳むことが可能になる。
【００３４】
前記トランポリン支持面6の外側には支持スタンド機構2が配置されており、支持スタンド機構2は溶接されたＨ型のブラケットである。支持スタンド機構2はトランポリン支持面6に接続された２つの上部接続部と前記の外側のフットパッド3を取り付けるための2つの下部支持部から構成される。
【００３５】
前記トランポリン支持面６のフレーム下部には、上部連結部に連結するための支持パネル１が設けられており、支持パネル１の断面はＣ字型であり、支持パネル１の内側は口を開いており、上部連結部は支持パネル１の内側に配置されている。
【００３６】
支持パネル1と前記上部接続部の上端は、第1シャフト5によって接続され、第1シャフト5の軸方向は接続パイプ7の軸方向に対し垂直に配置され、支持パネル1の底部は第1プラスチック製ねじ4によって前記の上部接続部の中間部に接続して固定される。
【００３７】
第1シャフト5と第1プラスチック製ねじ4の二箇所の接続で、支持スタンド機構2を固定する役割を果たすと同時に、第1プラスチック製ねじが開いた状態で 支持スタンド機構２は、トランポリン支持面６の内側にひっくり返られ、トランポリン支持面６の底の面の上に折り畳める。三脚スタンド機構２を高速に折り畳む機能を果たす。
【００３８】
前記外側フットパッド３には地面で支えられるように下向けの底面が設けられている。内側フットパッド９の上部にはソケットが設けられ、下部支持部はソケットに差し込むことで、外側フットパッド３への固定および支持スタンド機構2を連結する機能を実現する。
【００３９】
支持スタンド機構２が傾斜している場合、ソケットもそれに合わせて斜めに分布したり、縦方向に分布したりすることで、支持スタンド機構２が 外側フットパッド３と共に、トランポリン支持面６の外側を支持し固定するようにする。
【００４０】
ハンドル機構は、回転ハンドル19とライザーで構成される。回転ハンドル19の外側には縦方向に配置されたブッシュが設けられており、ブッシュはベアリングによってライザーのシャフトの外側に配置されているため、回転ハンドル19は使用中に自由に回転できる。
【００４１】
ライザーは上部パイプ部17と下部パイプ部14からなっている。上部パイプ部17の上端と下部パイプ部14の上端にはそれぞれ水平に分布された取り付けパネル15が設けられる。
【００４２】
取り付けパネル15は互いに張り合うように設置され、取り付けパネル15の内側の間では水平で配置された第三シャフトによって接続され、取り付けパネル15にはそれぞれ第3シャフト18が通過用のブッシュが設けられ、取付パネル15の外側はクイックリリースネジ16によって接続し固定される。
【００４３】
また、上部パイプ部17の底部にある 取付パネル１５におけるクイックリリースネジ１６を設置するためのネジ穴の外側は開口構造である。２段設計を採用することにより、クイックリリースネジ１６を開いて上部パイプ部１７をトランポリンの内側に翻され、上部パイプ部１７の取り付けパネル15は、口を開くことによってクイックリリーススクリュー１６から外し、ライザーを高速に折り畳む機能を実現する。
【００４４】
前記下部パイプ部14の底には、接続パイプ7と平行に配置された取付パイプ13が設けられており、取付パイプ13の底部は軸方向に分布された口を開いた構造であり、取付パイプ13は接続パイプ7の上部の外側を嵌めて、ボルトで 接続パイプ７に固定し接続されている。
【００４５】
図４の通り、この事例はトランポリンの構造的改善を提案し、使用中において使用者は回転ハンドル１９を取って、２つのトランポリン支持面６の間で左右方向にジャンプするトレーニングを行うことができる。
【００４６】
上記はあくまでも本実用新案のお勧めの実施方法であり、実質上にほぼ同様手段で本実用新案と同様な目的を達成するための技術方案は本実用新案の保護範囲としている。
【符号の説明】
【００４７】
１ サポートパネル
２  サポートスタンド機構
３  外側フットパッド
４  最初のプラスチック製ねじ
５  第一シャフト
６  トランポリンの支持面
７  接続パイプ
８  接続部品
９  内側フットパッド
１０  第二プラスチック製ネジ
１１  シャフト
１２  取り付け穴
１３  取付パイプ
１４  下部パイプ部
１５  取付パネル
１６  クイックリリースネジ
１７  上部パイプ部
１８  第三シャフト
１９  回転ハンドル
２０  弾性クリップ
【図１】
0003226083.tif 000003
【図２】
0003226083.tif 000004
【図３】
0003226083.tif 000005
【図４】
0003226083.tif 000006
【手続補正書】
【提出日】令和2年2月25日(2020.2.25)
【手続補正１】
【補正対象書類名】実用新案登録請求の範囲
【補正対象項目名】全文
【補正方法】変更
【補正の内容】
【実用新案登録請求の範囲】
【請求項１】
２セット以上の接続パイプが平行に配置され、内側パッドが接続パイプの端に配置され、また、２セットのトランポリン支持面がそれぞれ接続パイプの両端の外側で配置され、トランポリン支持面の内側はそれぞれ接続パイプに接続され、トランポリン支持面の外側には支持用のスタンド機構が設けられ、支持用のスタンド機構の下端には外側用のフットパッドが設けられていることを特徴とするトランポリンの改良構造。
【請求項２】
前記トランポリン支持面は、水平または内側に向かって斜めに配置されていることを特徴とする請求項１に記載のトランポリンの改良構造。
【請求項３】
前記トランポリンの支持面は、接続部品で前記の接続パイプに接続され、前記の接続部品とは、接続パイプの外側で設置されたスライドできるチューブ形態の構造で、接続部品は、プラスチック製ねじによって接続パイプに接続され、接続部品の上部は、トランポリン支持面のフレームの内側に接続されていることを特徴とする請求項１に記載のトランポリンの改良構造。
【請求項４】
前記接続部品と前記トランポリン支持面のフレームはシャフトによって連結され、シャフトの軸方向は前記の接続パイプに対し垂直であることを特徴とする請求項３に記載のトランポリンの改良構造。
【請求項５】
前記接続パイプの外側に、軸方向に配列された複数の取付孔が設けられ、該取付孔は、前記プラスチック製ねじと螺合するために設置されるものであることを特徴とする請求項３に記載のトランポリンの改良構造。
【請求項６】
前記支持スタンド機構とは、前記トランポリン支持面に結合される一個以上の上部接続部と前記外側用フットパッドを取り付けるための下部支持部からなっていて、上部接続部はトランポリン支持面のフレームに接続され、下部支持部の底には外側用フットパッドが設けられていることを特徴とする請求項１に記載のトランポリンの改良構造。
【請求項７】
前記トランポリン支持面のフレームの下部に、前記支持スタンド機構に接続するための支持パネルが設けられ、前記支持パネルと前記上部接続部はシャフトによって接続され、シャフトの軸方向は接続パイプの軸方向に対し垂直であり、支持パネルはプラスチック製のねじによって上部接続部の中間部分に接続し固定されていることを特徴とする請求項６に記載のトランポリンの改良構造。
【請求項８】
回転ハンドルが設けられ、ライザーの上端に回転ハンドルが設置され、ライザーの下端がそのうち一つの接続パイプに接続し固定されることを特徴とする請求項１に記載のトランポリンの改良構造。
【請求項９】
ライザーは上部パイプ部と下部パイプ部からなっており、上部パイプ部の底部と下部パイプ部の上部にはそれぞれ水平に設置された取り付けパネルが備えられ、パネルは張り合わせられた状態で設置され、取り付けパネルの内側の間では水平方向に分布されたピンで接続され、取り付けパネルの外側ではクイックリリースネジで固定され、尚、上部パイプ部の底部にある取り付けパネルにおいてクイックリリースネジを設置用のネジ穴が設けられており、ネジ穴外側が口を開いた形状にしていることを特徴とする請求項８に記載のトランポリンの改良構造。
【請求項１０】
前記下部パイプ部の底部に、前記接続パイプと平行に配置された組み立てパイプが設置され、前記組立パイプの底部は軸方向に分布された開放構造となっており、組み立てパイプカバーは、接続パイプの上部の外側にあり、ボルトで接続パイプに接続し固定されていることを特徴とする請求項９に記載のトランポリンの改良構造。